(57)【要約】【課題】  医療用プローブを提供する。【解決手段】  医療用プローブは、近位区域と、遷移領域と、遠位区域とを備える。近位区域は、交差編組構造で編組みされた編組み部を含む。近位区域に続く遷移領域内において、編組み部は、交差編組構造と螺旋巻き構造との間で遷移する。遷移領域に続く遠位区域内において、編組み部は、螺旋巻き構造で螺旋状に巻かれる。【選択図】  図１
2015073904.tif 000002
【特許請求の範囲】
【請求項１】
医療用プローブであって、
交差編組構造で編組みされた編組み部を含む近位区域と、
前記近位区域に続く遷移領域であって、前記編組み部が前記交差編組構造と螺旋巻き構造との間で遷移する、遷移領域と、
前記遷移領域に続く遠位区域であって、前記編組み部が前記螺旋巻き構造で螺旋状に巻かれる、遠位区域と、を含む医療用プローブ。
【請求項２】
前記近位区域内の前記編組み部が、前記交差編組構造で編組みされた複数のワイヤを含み、前記遠位区域内の前記編組み部が、前記螺旋巻き構造で螺旋状に巻かれた前記複数のワイヤを含み、前記遷移領域において、前記複数のワイヤの一部の巻き方向が、前記交差編組構造と前記螺旋巻き構造との間で遷移するように反転される、請求項１に記載の医療用プローブ。
【請求項３】
前記編組み部を覆う外側コーティングを含む、請求項１に記載の医療用プローブ。
【請求項４】
前記近位区域が前記プローブの軸線に垂直な方向に第１の可撓性を有し、前記遠位区域が前記第１の可撓性よりも大きい第２の可撓性を有する、請求項１に記載の医療用プローブ。
【請求項５】
前記プローブが心臓カテーテルを含む、請求項１に記載の医療用プローブ。
【請求項６】
前記プローブが心臓用シースを含む、請求項１に記載の医療用プローブ。
【請求項７】
前記プローブが心臓ガイドワイヤを含む、請求項１に記載の医療用プローブ。
【請求項８】
前記近位区域内、前記遠位区域内、及び前記遷移領域内の前記編組み部が、単一の切れ目のないワイヤの集団から形成される、請求項１に記載の医療用プローブ。
【請求項９】
前記近位区域内、前記遠位区域内、及び前記遷移領域内の前記編組み部が、単一の切れ目のない非金属フィラメントの集団から形成される、請求項１に記載の医療用プローブ。
【請求項１０】
前記近位区域内、前記遠位区域内、及び前記遷移領域内の前記編組み部が、単一の切れ目のない非金属繊維の集団から形成される、請求項１に記載の医療用プローブ。
【請求項１１】
方法であって、
医療用プローブの編組み部の近位区域を交差編組構造で編組むことと、
前記交差編組構造と螺旋巻き構造との間で遷移させることによって、前記近位区域に続いて、前記編組み部の中で遷移領域を形成することと、
前記螺旋巻き構造を用いて、前記遷移領域に続いて、前記編組み部の遠位区域を螺旋状に巻くことと、を含む方法。
【請求項１２】
前記近位区域を編組むことが、複数のワイヤを前記交差編組構造で編組むことを含み、前記遠位区域を螺旋状に巻くことが、前記複数のワイヤを前記螺旋巻き構造で螺旋状に巻くことを含み、前記遷移領域を形成することが、前記交差編組構造と前記螺旋巻き構造との間で遷移するように、前記複数のワイヤの一部の巻き方向を反転させることを含む、請求項１１に記載の方法。
【請求項１３】
前記編組み部を覆うように外側コーティングを適用することを含む、請求項１１に記載の方法。
【請求項１４】
前記近位区域が前記プローブの軸線に垂直な方向に第１の可撓性を有し、前記遠位区域が前記第１の可撓性よりも大きい第２の可撓性を有する、請求項１１に記載の方法。
【請求項１５】
前記プローブが心臓カテーテルを含む、請求項１１に記載の方法。
【請求項１６】
前記プローブが心臓用シースを含む、請求項１１に記載の方法。
【請求項１７】
前記プローブが心臓ガイドワイヤを含む、請求項１１に記載の方法。
【請求項１８】
前記近位区域を編組むこと、前記遠位区域を螺旋状に巻くこと、及び前記遷移領域を形成することが、単一の切れ目のないワイヤの集団から前記近位区域内、前記遠位区域内、及び前記遷移領域内に前記編組み部を形成することを含む、請求項１１に記載の方法。
【請求項１９】
前記近位区域を編組むこと、前記遠位区域を螺旋状に巻くこと、及び前記遷移領域を形成することが、単一の切れ目のない非金属フィラメントの集団から前記近位区域内、前記遠位区域内、及び前記遷移領域内に前記編組み部を形成することを含む、請求項１１に記載の方法。
【請求項２０】
前記近位区域を編組むこと、前記遠位区域を螺旋状に巻くこと、及び前記遷移領域を形成することが、単一の切れ目のない非金属繊維の集団から前記近位区域内、前記遠位区域内、及び前記遷移領域内に前記編組み部を形成することを含む、請求項１１に記載の方法。
【発明の詳細な説明】
【技術分野】
【０００１】
本発明は、一般的に医療用プローブに関し、詳細にはカテーテルの編組み構造に関する。
【背景技術】
【０００２】
カテーテルなどの医療用プローブは、様々な治療的手技及び診断的医療手技で使用される。医療用プローブの剛性を制御するための様々な技術は、当技術分野において周知である。例えば、その開示が参照により本明細書に組み込まれる米国特許第６，１５２，９１２号は、体内の組織標的、典型的には脈管系を通してアクセス可能な標的にアクセスするのに適したカテーテルについて記述している。該カテーテルは、薄肉、ねじれ耐性、及び制御された剛性を有するカテーテルを作製するような方法でカテーテル本体内に巻装された補強部材を備える。もう一つの例として、その開示が参照により本明細書に組み込まれる米国特許第６，２５８，０８０号は、カテーテルなどの手術装置について記述している。該カテーテルは、制御可能な剛性を有するカテーテルを作製するような方法でカテーテル本体内に巻装された、典型的には金属製の補強リボン材を有する。
【０００３】
その開示が参照により本明細書に組み込まれる米国特許第５，０３７，４０４号は、管状のワイヤシースに対して入れ子関係におかれかつ該ワイヤシースに結合されている少なくとも１つの弾力性がある可撓性管状層を備えた可撓性カテーテルについて記述している。第１のカテーテル区域は、互いに対して第１の角度を向いたワイヤストランドを備える。第２のカテーテル区域は、互いに対して第２の角度を向いたワイヤストランドを備え、この第２の角度は第１の角度と異なるので、第１のカテーテル区域と第２のカテーテル区域の物理的特性は異なっている。
【０００４】
その開示が参照により本明細書に組み込まれる米国特許第７，８２４，３９２号は、少なくとも２本の連続ワイヤが共に編み込みされて形成されたカテーテルブレードについて記述している。該カテーテルブレードは、近位ブレード区域と遠位ブレード区域とを備えることができる。各連続ワイヤは、近位ブレード区域に対応する近位直径と、遠位ブレード区域に対応する遠位直径とを有する。各ワイヤの遠位直径は、それらのワイヤの近位直径より小さくてもよい。このように形成されたカテーテルブレードは、カテーテル内に含めることができる。
【０００５】
その開示が参照により本明細書に組み込まれる米国特許第６，１６５，１６３号は、編組金属補強部材（典型的にはステンレス鋼又は超弾性合金リボンの部材）を備えたカテーテルの本体内の組織標的にアクセスする際に用いることができるカテーテルアセンブリについて記述しており、この編組金属補強部材は、薄肉、制御された剛性、及びねじれに対する高い抵抗性を有するカテーテル区域を作製するような方法でカテーテル本体内に位置付けられる。
【発明の概要】
【課題を解決するための手段】
【０００６】
本発明の実施形態は、近位区域と、遷移領域と、遠位区域とを備える医療用プローブを提供する。近位区域は、交差編組構造で編組みされた編組み部を含む。近位区域に続く遷移領域内において、編組み部は、交差編組構造と螺旋巻き構造との間で遷移する。遷移領域に続く遠位区域内において、編組み部は、螺旋巻き構造で螺旋状に巻かれる。
【０００７】
いくつかの実施形態では、近位区域内の編組み部は、交差編組構造で編組みされた複数のワイヤを含み、遠位区域内の編組み部は、螺旋巻き構造で螺旋状に巻かれた複数のワイヤを含み、遷移領域内において、複数のワイヤの一部の巻き方向は、交差編組構造と螺旋巻き構造との間で遷移するように反転される。
【０００８】
他の実施形態では、医療用プローブは、編組み部を覆う外側コーティングを含む。更に他の実施形態では、近位区域は、プローブの軸線に垂直な方向に第１の可撓性を有し、遠位区域は、第１の可撓性よりも大きい第２の可撓性を有する。
【０００９】
いくつかの実施形態では、プローブは心臓カテーテルを含む。他の実施形態では、プローブは心臓用シースを含む。更に他の実施形態では、プローブは心臓ガイドワイヤを含む。
【００１０】
いくつかの実施形態では、近位区域内、遠位区域内、及び遷移領域内の編組み部は、単一の切れ目のないワイヤの集団から形成される。他の実施形態では、近位区域内、遠位区域内、及び遷移領域内の編組み部は、単一の切れ目のない非金属フィラメントの集団から形成される。更に他の実施形態では、近位区域内、遠位区域内、及び遷移領域内の編組み部は、単一の切れ目のない非金属繊維の集団から形成される。
【００１１】
本発明の実施形態によると、医療用プローブの編組み部の近位区域を交差編組構造で編組むことを含む方法もまた提供される。近位区域に続く編組み部内の遷移領域は、交差編組構造と螺旋巻き構造との間で遷移させることによって形成される。遷移領域に続く編組み部の遠位区域は、螺旋巻き構造を用いて螺旋状に巻かれる。
【００１２】
本発明は、以下の詳細な実施形態の説明を、図面と併せ読むことによって、より十分に理解されるであろう。
【図面の簡単な説明】
【００１３】
【図１】本発明の実施形態による、カテーテルベースの医用診断システムを概略的に示すブロック図である。
【図２】本発明の実施形態による、交差編組みされた近位区域と、螺旋状に巻かれた遠位区域とを備えたカテーテルを示す図である。
【図３】本発明の実施形態による、カテーテルを編組むための方法を概略的に示すフローチャートである。
【発明を実施するための形態】
【００１４】
概論
カテーテルなどの医療用プローブは、例えば心臓電気生理学的（ＥＰ）マッピング及びアブレーションなどの様々な診断手技及び治療手技で使用される。そのような手技では、手技を行う操作者は、患者の脈管系にカテーテルを経皮的に挿入し、このカテーテルを患者の心臓内の所望の標的部位まで誘導する。操作者は、カテーテルの遠位端が標的部位に達するまで、患者の脈管系内でカテーテルを押し、回転させる。心臓血管系内でのカテーテルの操作性は、カテーテルの可撓性に大きく依存する。
【００１５】
本明細書に記載する本発明の実施形態は、操作性が改善された医療用プローブ（例えばカテーテル）を提供する。いくつかの実施形態では、カテーテルは、所望の機械的剛性を提供する複数の編組みされたワイヤを使用して形成される。典型的にはカテーテル長さの大部分を通って延びるカテーテルの近位区域では、ワイヤは交差編組構造に編み込みされる。典型的にはカテーテル先端部に隣接する短い区域であるカテーテルの遠位区域では、ワイヤは、編み込みされていない螺旋巻き（スパイラル）構造に螺旋状に巻かれる。近位区域と遠位区域との間の遷移領域内では、ワイヤは、交差編組構造と螺旋巻き構造との間で遷移する。
【００１６】
交差編組構造及び螺旋巻き構造は共に、カテーテルの軸線の周りにトルクを伝える。よって、カテーテルの操作者は、カテーテルの近位端においてカテーテルの軸線の周りでカテーテルを回転させることができ、この回転は遠位端に伝達される。しかしながら、螺旋巻き構造は、交差編組区域と比べて、カテーテルの軸線に垂直な方向により大きい可撓性を有する。したがって、カテーテルの遠位区域は近位区域よりもこれら直交方向においてより可撓性であるので、カテーテルの全体的な操作性が高められる。
【００１７】
典型的には、カテーテルブレードの全長は、同一の切れ目のないワイヤの集団から形成される。そのような実施形態では、近位区域からのワイヤの第１の半分は、遠位区域内において引き続き同じ方向に巻かれる。ワイヤの第２の半分は、第１の半分の巻き方向と一致するようにそれらの巻き方向を変え、高密度な螺旋コイルが形成される。よって、編組ワイヤの数はカテーテルに沿って変化しない。
【００１８】
システムの説明
図１は、本発明の実施形態による、医用診断システム２０を概略的に示すブロック図である。システム２０は、この実施例では心臓診断システムであり、カテーテル２２と制御コンソール２４とを含む。本明細書に記載する実施形態では、カテーテル２２は、心機能障害の診断のための心臓診断手技で、例えば患者２８の心臓２６の腔の表面の複数の部位で電気生理学的（ＥＰ）信号を測定するために使用される。あるいは又はこれに加えて、カテーテル２２は、心臓２６の組織のアブレーションといったその他の好適な治療用及び／又は診断用目的で使用され得る。
【００１９】
典型的には医師である操作者３０は、患者２８の脈管系にカテーテル２２を挿入する。操作者３０の手３５は、カテーテル２２の近位端を把持して、カテーテル２２の遠位端４０が心臓２６内の標的組織領域の近くに達するまで、患者の脈管系を通してカテーテルを誘導する。カテーテルは、心臓の診断手技及び／又は治療手技を行うために、心臓腔の組織表面と接触する。
【００２０】
コンソール２４は、カテーテル２２上に配設された電極から信号を受け取るように、また、システム２０の他の構成要素を制御するように構成される。システム２０は、心臓２６内のカテーテル２２の遠位端４０の位置を追跡するための位置追跡システムを含み得る。任意の好適なパラメータは、システム２０によって測定及び／又は処理して、表示部４６に出力することができる。例えば、心臓腔の複数の部位と接触しているカテーテル２２の遠位端４０上の電極によって測定された局所ＥＰ信号を用いた心臓２６の画像４４のマッピングは、表示部４６に出力され得る。
【００２１】
図１に示される実施形態は、単に概念的な明確化のために描かれており、本発明の実施形態を限定する趣旨ではない。代替実施形態では、任意の他の好適なシステム構成が用いられ得る。例えば、カテーテルは、機械制御式ナビゲーションなどの任意の好適な方法によって、患者２８の脈管系内で操作され得る。
【００２２】
異なる編組構造を使用した改善された操作性（MANUEVERABILITY）
図２は、本発明の実施形態による、カテーテル１００を示す略図である。カテーテルの近位区域は図の左側に示されており、カテーテルの遠位区域は右側に示されており、遷移領域１２０は図の中央に示されており、近位区域と遠位区域との間を連結している。これら近位区域と、遷移領域と、遠位区域とを備えるカテーテルは、典型的には、コーティング１０５（例えば、ポリウレタン又はシリコーンジャケット）で覆われている。
【００２３】
カテーテルは、典型的には、カテーテルの内部ルーメンを横断する信号線、電極、及び／又はセンサなどの付加的な要素を備えている。これら付加的な要素は、分かり易くするために図から省略されている。
【００２４】
本実施例において、近位区域は、交差編組構造１１０に編み込みされた一組みのワイヤ１０２を備える。遠位区域内では、同一集団のワイヤ１０２が螺旋巻き（スパイラル）構造１１５に螺旋状に巻かれる。遷移領域１２０内では、複数のワイヤの編組構造は、交差編組構造１１０から螺旋巻き構造１１５へと変化する。
【００２５】
典型的には、螺旋巻き構造１１５を備えた遠位区域は、交差編組構造１１０を備えた近位区域よりも、カテーテルの軸線に垂直な方向に大きい可撓性を有する。
【００２６】
両方の区域は、カテーテルの軸線の周りの回転トルクをカテーテルの遠位先端まで伝えて、操作者３０がカテーテルを所望通りに回転させることができるようにする。近位区域の交差編組構造は、トルクを両方の回転方向（時計回り及び反時計回り）に伝えることができる。遠位区域の螺旋巻き構造は、図中に矢印で示す好ましい回転方向を有する。
【００２７】
カテーテル長さの大部分は、より剛性の交差編組構造を有する近位区域で構成される。遷移領域１２０内では、複数のワイヤは、交差編組構造１１０から、より可撓性の螺旋巻き構造１１５へと遷移する。遷移領域１２０は、典型的には遠位端４０の近くであるが、一般的には、患者の脈管系内での操作性を最適化するために、カテーテル２２の長さに沿った任意の好適な位置に配置され得る。
【００２８】
図２の遷移領域１２０は、単に視覚的明瞭化のため、近位区域と遠位区域との間の、編み込みされた複数のワイヤの間隙として示されている。この遷移部は、編み込みされた交差編組部と編み込みされていない螺旋巻部との間の任意の好適な遷移を用いて形成され得る。例えば、いくつかの実施形態では、遷移領域１０２は、ワイヤ１０２の半分の巻き方向を変えることと、残りの半分の巻き方向を維持することとを含む。この実施形態におけるワイヤ１０２の数は、交差編組構造を有する近位区域から螺旋スパイラル構造を有する遠位区域へと遷移する際に、同じままである。
【００２９】
いくつかの実施形態では、カテーテル２２は、その仕様書が参照により本明細書に組み込まれるＳｔｅｅｇｅｒ  ＵＳＡ  Ｂｒａｉｄｅｒモデル番号Ｋ８０／Ｉ６−ＩＭＣ又はＨＳ８０／Ｉ６−ＩＭＣといった、従来のプログラム可能で制御性がよい編組機を使用して形成される。編組プロセスは、典型的には、交差編組構造１１０を用いて近位区域を編み込むことから始まる。好適な長さが編組みされた後、編み込みプロセスを中止し、Ｓｔｅｅｇｅｒ  Ｒｅｔｒｏｆｉｔキット部品番号ＳＴＧ０４６０３．１４などの巻取装置の後付け型プレート（retrofit plate）を編組機に手動で取り付ける。編組機は巻取装置に効果的に変換されて、ホーンギアが後付け型プレー上の１６個のボビンを同一方向に回転させる。次に、編組プロセスは、螺旋巻き構造１１５を用いて遠位区域を引き続き編組む。
【００３０】
２つの編組構造の間で遷移させるため、全てが同一方向に回転するように編組要素（例えば、ボビン）の方向を変化させる後付け型プレートを、Ｓｔｅｅｇｅｒ  ＵＳＡ  Ｂｒａｉｄｅｒに後付けすることが可能である。後付け型プレートを設置した後、ボビンは複数のワイヤの全てを同一方向に螺旋状に巻いて、遠位区域の螺旋巻き構造１１５を形成する。
【００３１】
他の実施形態では、編組機は巻取装置の後付け型プレートに係合するようにプログラムされ、それにより編組機が巻取装置に自動的に変換される。編組構造は、交差編組構造から螺旋巻き構造に変更されて、巻取装置の後付け型プレートを編組機の上に手動で設置する必要なく、遷移領域１２０が形成される。
【００３２】
上記説明は、交差編組で始まって螺旋巻きに遷移するプロセスに言及しているが、代替実施形態では、プロセスは反対方向に行われてもよい、すなわち、螺旋巻きで始まって交差編組に遷移してもよい。
【００３３】
図２に示される交差編組構造１１０は、下方に向かって渦巻く第１のワイヤによって形成された菱形網目を含み、この下方に向かって渦巻く第１のワイヤは、上方に向かって渦巻く第２のワイヤの上を横切った後、上方に向かって渦巻く第３のワイヤの下を横切り、これが同じように続く。この編組パターンは、本明細書では「１本を潜り１本を越える」と称される。
【００３４】
図２の実施形態に示される交差編組パターンは、単に概念的な明確化のために描かれており、本発明の実施形態を限定する趣旨ではない。任意の他の好適な交差編組構造を用いることが可能である。例えば、代替実施形態では、「２本を越え２本を潜る」構造を用いてもよく、この構造では、下方に向かって渦巻く第１のワイヤが、上方に向かって渦巻く第２のワイヤ及び第３のワイヤの上を横切り、次に上方に向かって渦巻く第３のワイヤ及び第４のワイヤの下を横切り、これが同じように続く。
【００３５】
本明細書に記載する編組構造は、カテーテルの構成に限定されず、シース又はガイドワイヤなどの任意の好適な医療用プローブの構成でも用いられる。典型的には、医療用プローブの構成において近位区域内、遠位区域内、及び遷移領域内で用いられる、図２に示される編組構造は、単一の切れ目のないワイヤの集団から形成される。同様に、医療用プローブは、単一の切れ目のない非金属フィラメントの集団、又は単一の切れ目のない非金属繊維の集団から形成される編組構造で構成され得る。
【００３６】
図３は、本発明の実施形態による、カテーテル２２の製造方法を概略的に示すフローチャートである。編組工程２００において、カテーテル２２の近位区域は、交差編組構造１１０で編み組まれるか、又は編み込みされる。遷移工程２１０において、交差編組構造１１０が螺旋巻き構造１１５に遷移する遷移領域１２０が形成される。螺旋巻き工程２２０において、遷移領域１２０に続くカテーテル２２の遠位区域は、カテーテルの長さに沿って遠位端まで、螺旋巻き構造１１５で螺旋状に巻かれる。
【００３７】
したがって、上述の実施形態は一例として引用したものであり、また本発明は上記に具体的に図示及び記載したものに限定されないことは認識されるであろう。むしろ本発明の範囲には、上記に述べた様々な特徴の組み合わせ及び下位の組み合わせ、並びに上記の説明を読むことによって当業者には想到されるであろう、先行技術において開示されていない変形例及び改変例も含まれるものである。参照により本特許出願に組み込まれる文書は、組み込まれた文書内の用語が、本明細書で明示的又は暗黙的に行われる定義と相反するように定義される場合を除き、本出願の一体部分と見なされるべきであり、本明細書における定義のみが検討されるべきである。
【００３８】
〔実施の態様〕
（１）  医療用プローブであって、
交差編組構造で編組みされた編組み部を含む近位区域と、
前記近位区域に続く遷移領域であって、前記編組み部が前記交差編組構造と螺旋巻き構造との間で遷移する、遷移領域と、
前記遷移領域に続く遠位区域であって、前記編組み部が前記螺旋巻き構造で螺旋状に巻かれる、遠位区域と、を含む医療用プローブ。
（２）  前記近位区域内の前記編組み部が、前記交差編組構造で編組みされた複数のワイヤを含み、前記遠位区域内の前記編組み部が、前記螺旋巻き構造で螺旋状に巻かれた前記複数のワイヤを含み、前記遷移領域において、前記複数のワイヤの一部の巻き方向が、前記交差編組構造と前記螺旋巻き構造との間で遷移するように反転される、実施態様１に記載の医療用プローブ。
（３）  前記編組み部を覆う外側コーティングを含む、実施態様１に記載の医療用プローブ。
（４）  前記近位区域が前記プローブの軸線に垂直な方向に第１の可撓性を有し、前記遠位区域が前記第１の可撓性よりも大きい第２の可撓性を有する、実施態様１に記載の医療用プローブ。
（５）  前記プローブが心臓カテーテルを含む、実施態様１に記載の医療用プローブ。
【００３９】
（６）  前記プローブが心臓用シースを含む、実施態様１に記載の医療用プローブ。
（７）  前記プローブが心臓ガイドワイヤを含む、実施態様１に記載の医療用プローブ。
（８）  前記近位区域内、前記遠位区域内、及び前記遷移領域内の前記編組み部が、単一の切れ目のないワイヤの集団から形成される、実施態様１に記載の医療用プローブ。
（９）  前記近位区域内、前記遠位区域内、及び前記遷移領域内の前記編組み部が、単一の切れ目のない非金属フィラメントの集団から形成される、実施態様１に記載の医療用プローブ。
（１０）  前記近位区域内、前記遠位区域内、及び前記遷移領域内の前記編組み部が、単一の切れ目のない非金属繊維の集団から形成される、実施態様１に記載の医療用プローブ。
【００４０】
（１１）  方法であって、
医療用プローブの編組み部の近位区域を交差編組構造で編組むことと、
前記交差編組構造と螺旋巻き構造との間で遷移させることによって、前記近位区域に続いて、前記編組み部の中で遷移領域を形成することと、
前記螺旋巻き構造を用いて、前記遷移領域に続いて、前記編組み部の遠位区域を螺旋状に巻くことと、を含む方法。
（１２）  前記近位区域を編組むことが、複数のワイヤを前記交差編組構造で編組むことを含み、前記遠位区域を螺旋状に巻くことが、前記複数のワイヤを前記螺旋巻き構造で螺旋状に巻くことを含み、前記遷移領域を形成することが、前記交差編組構造と前記螺旋巻き構造との間で遷移するように、前記複数のワイヤの一部の巻き方向を反転させることを含む、実施態様１１に記載の方法。
（１３）  前記編組み部を覆うように外側コーティングを適用することを含む、実施態様１１に記載の方法。
（１４）  前記近位区域が前記プローブの軸線に垂直な方向に第１の可撓性を有し、前記遠位区域が前記第１の可撓性よりも大きい第２の可撓性を有する、実施態様１１に記載の方法。
（１５）  前記プローブが心臓カテーテルを含む、実施態様１１に記載の方法。
【００４１】
（１６）  前記プローブが心臓用シースを含む、実施態様１１に記載の方法。
（１７）  前記プローブが心臓ガイドワイヤを含む、実施態様１１に記載の方法。
（１８）  前記近位区域を編組むこと、前記遠位区域を螺旋状に巻くこと、及び前記遷移領域を形成することが、単一の切れ目のないワイヤの集団から前記近位区域内、前記遠位区域内、及び前記遷移領域内に前記編組み部を形成することを含む、実施態様１１に記載の方法。
（１９）  前記近位区域を編組むこと、前記遠位区域を螺旋状に巻くこと、及び前記遷移領域を形成することが、単一の切れ目のない非金属フィラメントの集団から前記近位区域内、前記遠位区域内、及び前記遷移領域内に前記編組み部を形成することを含む、実施態様１１に記載の方法。
（２０）  前記近位区域を編組むこと、前記遠位区域を螺旋状に巻くこと、及び前記遷移領域を形成することが、単一の切れ目のない非金属繊維の集団から前記近位区域内、前記遠位区域内、及び前記遷移領域内に前記編組み部を形成することを含む、実施態様１１に記載の方法。
【図１】
2015073904.tif 000003
【図２】
2015073904.tif 000004
【図３】
2015073904.tif 000005
【外国語明細書】
2015073904000001.pdf